(57)【特許請求の範囲】
【請求項１】
セメントと水との混合物から構成される流動性材料が充填される充填空間を形成する内壁面を備える型枠を用い、該充填空間に流動性材料を充填して流動性材料を硬化させることで硬化体を形成する硬化体の形成方法であって、
前記型枠は、前記内壁面を備える型壁部を有しており、
該型壁部が前記充填空間と磁性体との間に位置するように充填空間の外側に磁性体を配置し、前記硬化体に取り付けるシート状の取付部材の少なくとも一部が充填空間に露出すると共に取付部材の一方の面が内壁面に接するように、型壁部を介した磁性体の磁力によって、内壁面に取付部材を着脱可能に保持させる保持工程を備えることを特徴とする硬化体の形成方法。
【請求項２】
前記取付部材は、内壁面と接する面に光学式の識別子を備えることを特徴とする請求項１に記載の硬化体の形成方法。
【請求項３】
前記取付部材は、保持工程で内壁面に保持される本体部と、該本体部から突出する突出部とを備え、保持工程では、該突出部が充填空間内に位置するように取付部材が内壁面に着脱可能に保持されることを特徴とする請求項１又は２に記載の硬化体の形成方法。
【請求項４】
前記突出部は、本体部から分離可能に構成されることを特徴とする請求項３に記載の硬化体の形成方法。
【発明の詳細な説明】
【技術分野】
【０００１】
本発明は、流動性材料を型枠に充填して硬化させることで硬化体を形成する方法に関する。
【背景技術】
【０００２】
従来から、硬化前のコンクリートや加熱された熱可塑性樹脂等の流動性を有する材料を型枠に充填して硬化させることで硬化体を形成する方法が知られている。斯かる硬化体には、製造年月日やロット番号等の製品情報が付与される場合がある。製品情報を硬化体に付与する方法としては、硬化体の表面に製品情報を印刷したり押印したりする方法が考えられる。しかしながら、このような方法では、硬化体の製造後に印刷や押印を行う工程が必要となるため、硬化体の出荷を効率的に行うことができない。
【０００３】
そこで、製品情報を記録したＩＣチップ等の記憶媒体（取付部材）を硬化体の形成に伴って硬化体に取り付ける方法が提案されている。例えば、硬化体内に記憶媒体を埋設することで取り付ける方法が提案されている。斯かる方法では、流動性材料内に記憶媒体を投入することで、記録媒体が埋設された硬化体が形成される（特許文献１〜３参照）。斯かる硬化体は、製品情報を読み取る機器を使用して記録媒体から製品情報を読み取ることができるため、硬化体の製造後に印刷等を行う工程が必要ではない。このため、硬化体の出荷を効率的に行うことが可能となる。
【先行技術文献】
【特許文献】
【０００４】
【特許文献１】特開２００５−３３０７２９号公報
【特許文献２】特開２００６−１８３２５７号公報
【特許文献３】特開２００８−６３９００号公報
【発明の概要】
【発明が解決しようとする課題】
【０００５】
しかしながら、上記のように記録媒体が硬化体に埋設されると、硬化体の表面から記憶媒体を視認することができないため、記憶媒体から製品情報を読み取る際に記憶媒体の位置を特定することが困難となり、製品情報を読み取る作業が煩雑なものとなる。また、記憶媒体が埋設される深さによっては、製品情報を読み取る機器が記憶媒体から製品情報を読み取ることが困難となる場合がある。
【０００６】
そこで、本発明は、記録媒体等の取付部材が視認可能な状態で取り付けられた硬化体を形成することができる硬化体の形成方法を提供することを課題とする。
【課題を解決するための手段】
【０００７】
本発明に係る硬化体の形成方法は、セメントと水との混合物から構成される流動性材料が充填される充填空間を形成する内壁面を備える型枠を用い、該充填空間に流動性材料を充填して流動性材料を硬化させることで硬化体を形成する硬化体の形成方法であって、前記型枠は、前記内壁面を備える型壁部を有しており、該型壁部が前記充填空間と磁性体との間に位置するように充填空間の外側に磁性体を配置し、前記硬化体に取り付けるシート状の取付部材の少なくとも一部が充填空間に露出すると共に取付部材の一方の面が内壁面に接するように、型壁部を介した磁性体の磁力によって、内壁面に取付部材を着脱可能に保持させる保持工程を備えることを特徴とする。
【０００８】
斯かる構成によれば、保持工程では、取付部材が内壁面に保持されるため、その後、充填空間に流動性材料を充填する工程（以下、充填工程とも記す）を行った際にも、流動性材料の流れによって、取付部材が充填空間内で意図しない位置へ移動してしまうのを防止することができる。また、保持工程では、取付部材の少なくとも一部が前記充填空間に露出した状態となるように前記内壁面に取付部材が着脱可能に保持されるため、取付部材における充填空間に露出した部分と硬化体との結合によって硬化体に取付部材が取り付けられた状態となる。これにより、型枠から硬化体を離型する工程（以下、離型工程とも記す）を行うことで、取付部材を硬化体と共に内壁面から離脱させることができる。
【０００９】
加えて、取付部材が内壁面に保持されるため、硬化体が形成された際には、取付部材における内壁面と接する部分が硬化体の表面に露出することになる。これにより、硬化体が形成された後においても取付部材を目視にて容易に確認することができるため、例えば、取付部材に製品情報等が記録されている場合には、記録された情報を目視や機器等によって迅速に読み取ることができる。
【００１０】
前記保持工程では、取付部材が内壁面に磁力によって保持されることが好ましい。
【００１１】
斯かる構成によれば、前記保持工程では、磁力によって取付部材が内壁面に保持されるため、粘着剤や粘着テープ等を用いて取付部材を内壁面に貼り付けて保持する必要がない。このため、保持工程を容易に行うことができる。
【００１２】
前記型枠は、内壁面を備える型壁部を有しており、前記保持工程では、磁性体と充填空間との間に型壁部が位置するように充填空間の外側に磁性体を配置し、型壁部を介した磁性体の磁力によって内壁面に取付部材が保持されることが好ましい。
【００１３】
斯かる構成によれば、前記保持工程では、磁性体と充填空間との間に型壁部が位置するように充填空間の外側に磁性体を配置し、型壁部を介した磁性体の磁力によって内壁面に取付部材が保持されるため、磁性体の位置を変更することで、内壁面の任意の場所に取付部材を容易に保持することができると共に、保持する位置の変更も容易に行うことができる。また、既存の型枠においても内壁面に取付部材を保持させることが可能となるため、既存の型枠を改良することなく取付部材が取り付けられた硬化体を形成することができる。また、磁性体を取り除くことで、内壁面から取付部材を容易に離脱させることができる。
【００１４】
前記取付部材は、少なくとも一部が磁性を有するように構成されており、保持工程では、取付部材の磁力によって取付部材が内壁面に保持されることが好ましい。
【００１５】
斯かる構成によれば、前記取付部材は、少なくとも一部が磁性を有するように構成されており、保持工程では、取付部材の磁力によって取付部材が内壁面に保持されるため、粘着剤や粘着テープ等を用いて取付部材を内壁面に貼り付けて保持する必要がない。このため、保持工程を容易に行うことができる。
【００１６】
前記取付部材は、保持工程で内壁面に保持される本体部と、該本体部から突出する突出部とを備え、保持工程では、該突出部が充填空間内に位置するように取付部材が内壁面に着脱可能に保持されることが好ましい。
【００１７】
斯かる構成によれば、前記取付部材は、保持工程で内壁面に保持される本体部と、該本体部から突出する突出部とを備え、保持工程では、該突出部が充填空間内に位置するように取付部材が内壁面に着脱可能に保持されるため、突出部は、硬化体内に埋め込まれた状態になる。これにより、取付部材は、突出部によって（具体的には、突出部のアンカー効果によって）硬化体に確実に取り付けられた状態となるため、取付部材が硬化体から意図せずに分離してしまうのを防止することができる。
【００１８】
前記突出部は、本体部から分離可能に構成されることが好ましい。
【００１９】
斯かる構成によれば、前記突出部は、本体部から分離可能に構成されることで、硬化体内に突出部が埋め込まれた状態であっても、硬化体の表面に露出した本体部を突出部から分離することができる。これにより、硬化体から本体部を容易に取り除くことができる。
【発明の効果】
【００２０】
以上のように、本発明によれば、記録媒体等の取付部材が視認可能な状態で取り付けられた硬化体を形成することができる。
【図面の簡単な説明】
【００２１】
【図１】本発明に係る硬化体の形成方法の一実施形態における取付部材を示した斜視図。
【図２】（ａ）は、同実施形態における型枠の内壁面に取付部材が保持された状態を示す断面図、（ｂ）は、同実施形態における型枠内に流動性材料が充填された状態を示す断面図。
【図３】（ａ）は、同実施形態における型枠内で流動性材料が硬化した状態を示す断面図、（ｂ）は、同実施形態における型枠から硬化体を離型させた状態を示す断面図。
【図４】（ａ）は、他の実施形態に係る硬化体の形成方法における型枠の一部を示した断面図、（ｂ）は、更に他の実施形態に係る硬化体の形成方法における取付部材の突出部近傍を示した断面図、（ｃ）は、更に他の実施形態に係る硬化体の形成方法における型枠内で硬化体に取付部材が取り付けられた状態を示した断面図。
【発明を実施するための形態】
【００２２】
以下、本発明の実施形態について、図１〜３を参照しつつ説明する。なお、以下の図面において同一または相当する部分には同一の参照符号を付しその説明は繰り返さない。
【００２３】
本発明に係る硬化体の形成方法は、流動性を有する材料（流動性材料）を型枠内に充填して硬化させることで硬化体を形成するものである。流動性材料としては、特に限定されるものではなく、例えば、水硬性材料と水とを混合した混合物（具体的には、硬化する前のコンクリート、モルタル、又は、石膏等）や、加熱されて流動性を有するようになった熱可塑性樹脂等が挙げられる。
【００２４】
また、本発明に係る硬化体の形成方法では、取付部材が取り付けられた硬化体が形成される。取付部材としては、特に限定されるものではなく、例えば、製造年月日やロット番号等の製品情報が付与されたもの（具体的には、ＱＲコード（登録商標）やバーコードなどの光学式の識別子等が付与されたもの）等が挙げられる。取付部材１の形状としては、特に限定されるものではなく、例えば、図１に示すようなシート状のものが挙げられる。
【００２５】
斯かる取付部材１は、本体部１ａと、該本体部１ａから突出する（具体的には、本体部１ａに対して交差する方向に突出する）突出部１ｂとを備える。具体的には、取付部材１は、シート状の本体部１ａの一方の面（以下では、内側面とも記す）側に向かって本体部１ａから突出する突出部１ｂを備える。取付部材１は、一枚のシート材が折り曲げられることで、本体部１ａと突出部１ｂとが形成される。具体的には、四角形状のシート材の四つ角部分がシート材の一方の面（即ち、本体部１ａの内面）側へ折り曲げられることで、４つの三角形状の突出部１ｂが形成されると共に４つの突出部１ｂの内側の領域に一つの本体部１ａが形成される。
【００２６】
また、取付部材１は、本体部１ａと突出部１ｂとが分離可能に構成される。具体的には、取付部材１は、本体部１ａと突出部１ｂとの間に切断補助線（例えば、ミシン目やハーフカット等）を備えており、該切断補助線の位置で切断可能に構成される。これにより、取付部材１は、本体部１ａと突出部１ｂとが分離可能になっている。
【００２７】
三角形状の突出部１ｂの一辺の長さとしては、本体部１ａに製品情報等を表示可能な領域が確保できるのであれば、特に限定されるものではなく、例えば、１０ｍｍ以上であることが好ましい。また、本体部１ａに対する突出部１ｂの角度としては、特に限定されるものではなく、例えば、９０°であってもよいが、４５°以上９０°未満であることが好ましく、又は，９０°を超え１３５°以下であることが好ましい。
【００２８】
取付部材１を形成するシート材としては、特に限定されるものではないが、本実施形態では、磁性体に引き寄せられる性質を有するものが用いられる。例えば、鉄成分を含有するシート材を用いることができる。具体的には、スーパー耐熱ラベル・タグ（サトー社製）等をシート材として用いることができる。なお、シート状の本体部１ａの他方の面（突出部１ｂが突出しない側の面）（以下では、外側面とも記す）には、製品情報等がＱＲコード等を用いて表示される。
【００２９】
次に、上記のような取付部材１が取り付けられた硬化体の形成方法について説明する。本実施形態では、図２（ａ）に示すように、流動性材料を充填する充填空間Ｒを形成する型枠２が用いられる。該型枠２は、雄型２ａと雌型２ｂとから構成され、雄型２ａと雌型２ｂとが合わさることで、充填空間Ｒが形成される。また、該型枠２（具体的には、雄型２ａ及び雌型２ｂ）は、充填空間Ｒを形成する内壁面２ｃを有する型壁部２ｄを備える。
【００３０】
そして、硬化体を形成する際には、まず初めに、取付部材１の少なくとも一部が充填空間Ｒに露出するように取付部材１を内壁面２ｃに対して着脱可能に保持させる（保持工程）。本実施形態では、取付部材１における本体部１ａの外側面（突出部１ｂが突出していない側の面）が内壁面２ｃに接するように取付部材１を内壁面２ｃに対して着脱可能に保持させる。これにより、本体部１ａの内側面（突出部１ｂが突出する側の面）側及び突出部１ｂが充填空間Ｒに露出する。
【００３１】
取付部材１を内壁面２ｃに着脱可能に保持させる方法としては、特に限定されるものではないが、本実施形態では、磁力によって取付部材１が内壁面２ｃに保持される。具体的には、型枠２の外側に磁性体（具体的には、磁石）３を配置し、型壁部２ｄを介して該磁石３の磁力によって内壁面２ｃに取付部材１が保持される。これにより、磁石３を取り除くことで、内壁面２ｃから取付部材１が離脱可能となる。
【００３２】
次に、図２（ｂ）に示すように、充填空間Ｒに流動性材料Ｌ（例えば、硬化前のコンクリート等）を充填する（充填工程）。これにより、取付部材１は、本体部１ａの外側面以外の部分と突出部１ｂとが流動性材料Ｌ内に埋め込まれた状態となる。そして、斯かる状態で、所定時間放置して流動性材料Ｌを硬化させる。これにより、図３（ａ）に示すように、取付部材１の本体部１ａの外側面が表面に位置し、且つ、突出部１ｂが埋め込まれた硬化体Ｈが形成される。
【００３３】
斯かる硬化体Ｈを型枠２から離型する際には（離型工程）、磁石３を型枠２から取り除く。これにより、取付部材１が内壁面２ｃに保持された状態が解消され、内壁面２ｃから取付部材１が離脱可能になる。そして、図３（ｂ）に示すように、雄型２ａと雌型２ｂとを離間させることで、取付部材１が取り付けられた状態で硬化体Ｈが型枠２内から取り出される。斯かる硬化体Ｈは、取付部材１の本体部１ａの外側面が表面に位置するため、外側面に表示されたＱＲコード等を読み取ることが可能となる。
【００３４】
以上のように、本発明に係る硬化体の形成方法によれば、記録媒体等の取付部材が視認可能な状態で取り付けた硬化体を形成することができる。
【００３５】
即ち、保持工程では、取付部材１が内壁面２ｃに保持されるため、その後、充填空間Ｒに流動性材料Ｌを充填する工程（以下、充填工程とも記す）を行った際にも、流動性材料Ｌの流れによって、取付部材１が充填空間Ｒ内で意図しない位置へ移動してしまうのを防止することができる。また、保持工程では、取付部材１の少なくとも一部が前記充填空間Ｒに露出した状態となるように前記内壁面２ｃに取付部材１が着脱可能に保持されるため、取付部材１における充填空間Ｒに露出した部分と硬化体Ｈとの結合によって硬化体Ｈに取付部材１が取り付けられた状態となる。これにより、型枠２から硬化体Ｈを離型する工程（以下、離型工程とも記す）を行うことで、取付部材１を硬化体Ｈと共に内壁面２ｃから離脱させることができる。
【００３６】
加えて、取付部材１が内壁面２ｃに保持されるため、硬化体Ｈが形成された際には、取付部材１における内壁面２ｃと接する部分が硬化体Ｈの表面に露出することになる。これにより、硬化体Ｈが形成された後においても取付部材１を目視にて容易に確認することができるため、例えば、取付部材１に製品情報等が記録されている場合には、記録された情報を目視や機器等によって迅速に読み取ることができる。
【００３７】
また、前記保持工程では、磁力によって取付部材１が内壁面２ｃに保持されるため、粘着剤や粘着テープ等を用いて取付部材１を内壁面２ｃに貼り付けて保持する必要がない。このため、保持工程を容易に行うことができる。
【００３８】
また、前記保持工程では、磁性体３と充填空間Ｒとの間に型壁部２ｄが位置するように磁性体３を配置し、型壁部２ｄを介した磁性体３の磁力によって内壁面２ｃに取付部材１が保持されるため、磁性体３の位置を変更することで、内壁面２ｃの任意の場所に取付部材１を容易に保持することができると共に、保持する位置の変更も容易に行うことができる。また、既存の型枠２においても内壁面２ｃに取付部材１を保持させることが可能となるため、既存の型枠２を改良することなく取付部材１が取り付けられた硬化体Ｈを形成することができる。また、磁性体３を取り除くことで、内壁面２ｃから取付部材１を容易に離脱させることができる。
【００３９】
また、前記取付部材１は、保持工程で内壁面２ｃに保持される本体部１ａと、該本体部１ａから突出する突出部１ｂとを備え、保持工程では、該突出部１ｂが充填空間Ｒ内に位置するように取付部材１が内壁面２ｃに着脱可能に保持されるため、突出部１ｂは、硬化体Ｈ内に埋め込まれた状態になる。これにより、取付部材１は、突出部１ｂによって（具体的には、突出部１ｂのアンカー効果によって）硬化体Ｈに確実に取り付けられた状態となるため、取付部材１が硬化体Ｈから意図せずに分離してしまうのを防止することができる。
【００４０】
また、前記突出部１ｂは、本体部１ａから分離可能に構成されることで、硬化体Ｈ内に突出部１ｂが埋め込まれた状態であっても、硬化体Ｈの表面に露出した本体部１ａを突出部１ｂから分離することができる。これにより、硬化体Ｈから本体部１ａを容易に取り除くことができる。
【００４１】
なお、本発明に係る硬化体の形成方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４２】
上記実施形態では、型枠２の外側に配置された磁石３によって型壁部２ｄを介して内壁面２ｃに取付部材１が保持されるように構成されているが、これに限定されるものではなく、例えば、図４（ａ）に示すように、磁性を有する磁性部２ｅを内壁面２ｃの少なくとも一部に備え、該磁性部２ｅに取付部材１が保持されるように構成されてもよい。斯かる構成によれば、磁性部２ｅの磁力を取付部材１に直接作用させることができるため、内壁面２ｃへの取付部材１の保持をより確実に行うことができる。なお、磁性部２ｅを形成する方法としては、特に限定されるものではなく、例えば、磁性体３の一部が充填空間Ｒに露出するように、型壁部２ｄの内壁面２ｃ側に磁性体３を埋め込むことで、磁性部２ｅを形成することができる。
【００４３】
また、上記実施形態では、取付部材１は、シート材の端部が一回折り曲げられて三角形状の突出部１ｂが形成されているが、これに限定されるものではなく、例えば、図４（ｂ）に示すように、シート材の端部が２カ所で折り曲げられて、コの字状の突出部１ｂが形成されてもよい。
【００４４】
また、上記実施形態では、取付部材１は、シート材が折り曲げられることで形成されているが、これに限定されるものではなく、例えば、樹脂材料を成形型で成形することで取付部材１が形成されてもよい。また、上記実施形態では、取付部材１は、シート材を用いて形成されているが、これに限定されるものではなく、例えば、金属製（鉄製）のプレートを用いて形成されてもよい。
【００４５】
上記実施形態では、取付部材１は、突出部１ｂを備えるように構成されているが、これに限定されるものではなく、例えば、本体部１ａのみから取付部材１が構成されてもよい。また、上記実施形態では、取付部材１は、複数の突出部１ｂを備えるように構成されているが、これに限定されるものではなく、例えば、本体部１ａから一つの突出部１ｂが突出するように構成されてもよい。また、上記実施形態では、本体部１ａと突出部１ｂとが一枚のシート材から形成されているが、これに限定されるものではなく、例えば、本体部１ａと突出部１ｂとが別体であってもよい。
【００４６】
また、取付部材１は、本体部１ａの内側面（充填空間Ｒに露出する面）が起毛を有するように構成されてもよい。具体的には、本体部１ａの内側面が不織布等の起毛素材を用いて構成されることで、起毛の面が充填空間Ｒに露出することになる。これにより、起毛内に流動性材料Ｌが含浸した状態で硬化体Ｈが形成されるため、起毛部分のアンカー硬化によって硬化体Ｈと取付部材１との結合がより強固なものとなる。
【００４７】
また、上記実施形態では、本体部１ａの端部から突出部１ｂが突出するように構成されているが、これに限定されるものではなく、例えば、本体部１ａの外周部よりも内側の位置から突出部１ｂが突出するように構成されてもよい。
【００４８】
また、上記実施形態では、突出部１ｂが平面状に形成されているが、これに限定されるものではなく、例えば、凹凸に形成され（波形加工やエンボス加工され）てもよい。
【００４９】
また、取付部材１の本体部１ａの内側面に接着剤や粘着剤が塗布されてもよい。接着剤や粘着剤としては、特に限定されるものではなく、例えば、流動性材料Ｌと化学的に反応して接着力や粘着力が生じるように構成されたものを用いることができる。
【００５０】
また、上記実施形態では、取付部材１における本体部１ａの外側面以外が硬化体内に埋め込まれるように構成されているが、これに限定されるものではなく、例えば、図４（ｃ）に示すように、突出部１ｂのみが硬化体Ｈに埋め込まれるように構成されてもよい。斯かる場合には、型枠２（型壁部２ｄ）の内壁面２ｃの一部に取付部材１の本体部１ａに対応する形状の凹状部２ｆを形成する。そして、取付部材１を内壁面２ｃに保持させる際には（保持工程）、突出部１ｂのみが充填空間Ｒ内に位置するように該凹状部２ｆ内に本体部１ａを配置する。その後、充填工程及び離型工程を行うことで、突出部１ｂのみが埋め込まれた硬化体Ｈが形成される。
【００５１】
また、上記実施形態では、取付部材１が磁性体３に引き寄せられるように構成されているが、これに限定されるものではなく、例えば、取付部材１の少なくとも一部（好ましくは、全体）が磁性を有するように（磁性体から）構成されてもよい。斯かる構成によれば、前記取付部材１の少なくとも一部が磁性を有するように構成されており、保持工程では、取付部材１の磁力によって取付部材１が内壁面２ｃに保持されるように構成されてもよい。斯かる場合には、粘着剤や粘着テープ等を用いて取付部材１を内壁面２ｃに貼り付けて保持する必要がないため、保持工程を容易に行うことができる。具体的には、型壁部２ｄが鉄製である場合、取付部材１自身の磁力によって取付部材１が内壁面２ｃに保持されることになる。また、斯かる構成において、型壁部２ｄが前記磁性部２ｅを備えるように構成されてもよい。斯かる場合には、取付部材１の磁力と磁性部２ｅの磁力によって取付部材１が内壁面２ｃ（より詳しくは、磁性部２ｅ）に保持されることになる。
【符号の説明】
【００５２】
１…取付部材、１ａ…本体部、１ｂ…突出部、２…型枠、２ａ…雄型、２ｂ…雌型、２ｃ…内壁面、２ｄ…型壁部、２ｅ…磁性部、２ｆ…凹状部、３…磁性体、Ｈ…硬化体、Ｌ…流動性材料、Ｒ…充填空間
【図１】
0006677927.tif 000002
【図２】
0006677927.tif 000003
【図３】
0006677927.tif 000004
【図４】
0006677927.tif 000005